(57)【特許請求の範囲】
【請求項１】
シリンジに収容した薬液を設定条件に応じて送液する電気駆動のシリンジポンプと、このシリンジポンプを支持するポンプ支持用架台とを有する輸液システムであって、前記ポンプ支持用架台にシリンジポンプを脱着可能な複数の装着部が設けられ、各装着部に給電用端子が夫々設けられるとともに、これら給電用端子がポンプ支持用架台に搭載された共通の電源回路に接続される一方、前記シリンジポンプに、前記装着部に装着された状態で前記給電用端子に接続可能な電源の受電用端子が設けられ、
前記ポンプ支持用架台の電気回路は、外部電源から入力された交流電力を直流電力に変換して前記給電用端子から出力する電源部を有し、
前記シリンジポンプは、前記電源部からの電力により駆動可能な駆動機構と、前記電源部からの電力により充電可能でかつ前記駆動機構を駆動するための電力を出力可能なバッテリーと、前記シリンジポンプに直接外部電源を接続するための前記受電用端子とは別の端子とを備え、
前記シリンジポンプが前記ポンプ支持用架台に装着されて使用されている間、前記シリンジポンプのバッテリーが自動的に充電されることを特徴とする輸液システム。
【請求項２】
請求項１記載の輸液システムにおいて、
前記ポンプ支持用架台に、前記装着部に装着された各シリンジポンプの作動状態の情報を外部装置との間で通信可能とする通信手段と、各装着部に設けられて前記通信手段に夫々接続される架台側通信用端子とが設けられる一方、前記シリンジポンプに、その駆動を制御する制御手段と、この制御手段に接続され、前記装着部にシリンジポンプが装着された状態で前記架台側通信用端子に接続可能なポンプ側通信用端子とが設けられていることを特徴とする輸液システム。
【請求項３】
請求項２記載の輸液システムにおいて、
前記シリンジポンプにポンプ側通信用端子が設けられるとともに、このポンプ側通信用端子とは別に、該シリンジポンプの作動状態の情報を前記制御手段と外部装置との間で通信可能とする外部装置接続用の端子をさらに有していることを特徴とする輸液システム。
【請求項４】
請求項１乃至３のいずれかに記載の輸液システムにおいて、
前記ポンプ支持用架台の各装着部は上下方向に一列に設けられていることを特徴とする輸液システム。
【請求項５】
外部電源から入力された交流電力を直流電力に変換して出力する電源部を有するポンプ支持用架台に脱着可能に装着されて該架台から電源供給を受けて駆動するシリンジポンプであって、
前記ポンプ支持用架台の電源部に接続された給電用端子に接触可能な受電用端子と、シリンジポンプに直接外部電源を接続するための前記受電用端子とは別の端子と、前記電源部から前記給電用端子を介して入力された電力により駆動可能な駆動機構と、前記電源部から前記給電用端子を介して入力された電力により充電可能でかつ前記駆動機構を駆動するための電力を出力可能なバッテリーとを備え、
前記ポンプ支持用架台に装着されて使用されている間、前記バッテリーが自動的に充電されることを特徴とするシリンジポンプ。
【請求項６】
請求項５記載のシリンジポンプにおいて、
前記ポンプ支持用架台に設けられる架台側通信用端子に接触可能なポンプ側通信用端子が設けられ、前記ポンプ支持用架台に装着された状態でこれら端子を介してシリンジポンプの作動状態の情報を該シリンジポンプとポンプ支持用架台との間で通信可能に構成されるとともに、前記ポンプ側通信用端子とは別に、シリンジポンプの前記情報を外部装置との間で通信可能とする外部装置接続用の端子を有していることを特徴とするシリンジポンプ。
【請求項７】
外部電源からの電力を受けて駆動可能な駆動機構と、外部電源からの電力を受けて充電可能でかつ前記駆動機構を駆動するための電力を出力可能なバッテリーとを有する電気駆動のシリンジポンプを脱着可能に支持するとともに、該シリンジポンプに対して電源供給を行うポンプ支持用架台であって、
前記シリンジポンプを脱着可能に装着する複数の装着部が設けられ、これらの装着部に前記シリンジポンプに設けられる電源の受電用端子に接触可能な給電用端子が夫々設けられるとともに、これら給電用端子がポンプ支持用架台に搭載される共通の電源回路に接続され、
前記ポンプ支持用架台の電気回路は、外部電源から入力された交流電力を直流電力に変換して前記給電用端子を介して出力することにより、前記駆動機構を駆動するための電力、及び前記バッテリーを充電するための電力を前記受電用端子を介して前記駆動機構及びバッテリーに供給可能な電源部を備え、
前記シリンジポンプは、該シリンジポンプに直接外部電源を接続するための前記受電用端子とは別の端子を備え、
前記シリンジポンプが装着されて使用されている間、前記シリンジポンプのバッテリーが自動的に充電されることを特徴とするポンプ支持用架台。
【請求項８】
請求項７記載のポンプ支持用架台において、
外部装置との通信手段が設けられるとともに、前記装着部に、この通信手段に夫々接続されて前記シリンジポンプに設けられるポンプ側通信用端子に接触可能な架台側通信用端子が夫々設けられていることを特徴とするポンプ支持用架台。
【発明の詳細な説明】
【０００１】
【発明の属する技術分野】
本発明は、医療現場で使用されるシリンジポンプ、すなわちシリンジ内に収容された薬液等の溶液を設定された流量で患者の血管等に注入するシリンジポンプとこのシリンジポンプを支持するポンプ支持用架台とを有する輸液システム等に関するものである。
【０００２】
【従来の技術】
従来から、患者に対して栄養補給、化学療法剤、麻酔剤等の薬液注入を自動的に、かつ高い精度で行うように構成されたシリンジポンプは知られている。
【０００３】
シリンジポンプは、例えば特開平９−１２２２３９号公報に開示されるように、薬液を収納したシリンジを固定する固定部と、固定されたシリンジの押子を押圧するためのスライダと、このスライダを駆動するための電気式の駆動機構と、駆動機構を制御する制御装置と、薬液の注入量の設定やその表示を行う操作パネル等を備えたものが一般的であり、使用時には、シリンジポンプを輸液スタンド（ポール）に固定した状態で該シリンジポンプにシリンジをセットし、操作パネル上で注入量等の条件を設定すれば、その設定条件に応じて前記スライダが駆動され、これによりシリンジの押子が押圧されて所定流量で薬液が送り出されるように構成されている。
【０００４】
【発明が解決しようとする課題】
上記のような従来のシリンジポンプでは、シリンジポンプ毎に電源コードや通信用配線等を接続する必要があり、そのため複数のシリンジポンプを同時に使用する場合には電源コード等の数が増えて邪魔になるという問題がある。例えば手術室等では、１０台を超えるシリンジポンプを同時に使用することが頻繁にあるが、このような場合には医師や看護婦がシリンジポンプの電源コードや通信用配線等に足を引っ掛ける等して円滑な医療業務に支障をきたすことが考えられる。
【０００５】
本発明は、上記課題に鑑みてなされたものであって、複数のシリンジポンプを同時に使用する場合に電源コード等が邪魔になるという問題を解消することを目的とする。
【０００６】
【課題を解決するための手段】
上記課題を解決するために、本発明は、シリンジに収容した薬液を設定条件に応じて送液する電気駆動のシリンジポンプと、このシリンジポンプを支持するポンプ支持用架台とを有する輸液システムであって、前記ポンプ支持用架台にシリンジポンプを脱着可能な複数の装着部が設けられ、各装着部に給電用端子が夫々設けられるとともに、これら給電用端子がポンプ支持用架台に搭載された共通の電源回路に接続される一方、前記シリンジポンプに、前記装着部に装着された状態で前記給電用端子に接続可能な電源の受電用端子が設けられ、前記ポンプ支持用架台の電気回路は、外部電源から入力された交流電力を直流電力に変換して前記給電用端子から出力する電源部を有し、前記シリンジポンプは、前記電源部からの電力により駆動可能な駆動機構と、前記電源部からの電力により充電可能でかつ前記駆動機構を駆動するための電力を出力可能なバッテリーと、前記シリンジポンプに直接外部電源を接続するための前記受電用端子とは別の端子とを備え、前記シリンジポンプが前記ポンプ支持用架台に装着されて使用されている間、前記シリンジポンプのバッテリーが自動的に充電されるものである。
【０００７】
このシステムでは、ポンプ支持用架台に設けられた複数の装着部に対して必要な数のシリンジポンプを装着し、シリンジポンプ及びポンプ支持用架台の端子同士（給電用端子および受電用端子）を接続すれば、各シリンジポンプがポンプ支持用架台に搭載された共通の電源回路に接続されて駆動用の電力が各シリンジポンプに供給される。つまり、電源コードとしてはポンプ支持用架台の電源回路用のコードだけで済み、各シリンジポンプ毎に電源コードを設ける必要がなくなる。従って、複数のシリンジポンプを使用しながらも電源コードを集約することができる。なお、請求項の記載において「端子」とは、電気的な接続を繰り返し行える部分を意味するものであり、導電部である端子そのものは勿論のことコネクタ等の接続手段も含む意味である。また、「薬液」には、栄養補給、化学療法剤、麻酔剤等が含まれる。
【０００８】
なお、前記シリンジポンプは、該シリンジポンプに直接外部電源を接続するための前記受電用端子とは別の端子を備えている。
【０００９】
そのため、シリンジポンプに外部電源を直接接続することにより、シリンジポンプをポンプ支持用架台に装着することなく単独で使用することが可能となり、シリンジポンプの利便性が向上する。
【００１０】
このシステムにおいては、前記ポンプ支持用架台に、前記装着部に装着された各シリンジポンプの作動状態の情報を外部装置との間で通信可能とする通信手段と、各装着部に設けられて前記通信手段に夫々接続される架台側通信用端子とが設けられる一方、前記シリンジポンプに、その駆動を制御する制御手段と、この制御手段に接続され、前記装着部にシリンジポンプが装着された状態で前記架台側通信用端子に接続可能なポンプ側通信用端子とが設けられているのが好ましい。
【００１１】
この構成によれば、ポンプ支持用架台およびシリンジポンプの端子同士（架台側通信用端子およびポンプ側通信用端子）を接続すれば、各シリンジポンプの制御手段とポンプ支持用架台の通信手段とを電気的に接続することができる。従って、通信手段に接続される共通の通信配線を介して各シリンジポンプと外部装置とを電気的に接続することが可能となり、各シリンジポンプと外部装置とを接続する通信用配線の集約化を図ることができる。なお、「シリンジポンプの作動状態」には、薬液の流量、予定量、積算値が含まれる。
【００１２】
なお、シリンジポンプにポンプ側通信用端子が設けられる場合には、このポンプ側通信用端子とは別に、該シリンジポンプの作動状態の情報を前記制御手段と外部装置との間で通信可能とする外部装置接続用の端子をさらに設けておくのが好ましい。
【００１３】
このような構成によれば、シリンジポンプに通信用配線を直接接続することによりシリンジポンプをポンプ支持用架台に装着することなく単独で使用することが可能となり、シリンジポンプの利便性が向上する。
【００１４】
なお、前記システムにおいて、ポンプ支持用架台の各装着部は上下方向に一列に設けられているのが好ましい。
【００１５】
このようにシリンジポンプを上下一列に並べて支持できるようにすれば、複数のシリンジポンプを支持しながらも平面的な占有スペースは少なくて済み、スペース効率が向上する。
【００１６】
一方、本発明のシリンジポンプは、外部電源から入力された交流電力を直流電力に変換して出力する電源部を有するポンプ支持用架台に脱着可能に装着されて該架台から電源供給を受けて駆動するシリンジポンプであって、前記ポンプ支持用架台の電源部に接続された給電用端子に接触可能な受電用端子と、シリンジポンプに直接外部電源を接続するための前記受電用端子とは別の端子と、前記電源部から前記給電用端子を介して入力された電力により駆動可能な駆動機構と、前記電源部から前記給電用端子を介して入力された電力により充電可能でかつ前記駆動機構を駆動するための電力を出力可能なバッテリーとを備え、前記ポンプ支持用架台に装着されて使用されている間、前記バッテリーが自動的に充電されるものである。
【００１７】
このシリンジポンプにおいては、前記ポンプ支持用架台に設けられる架台側通信用端子に接触可能なポンプ側通信用端子が設けられ、前記ポンプ支持用架台に装着された状態でこれら端子を介してシリンジポンプの作動状態の情報を該シリンジポンプとポンプ支持用架台との間で通信可能に構成されるとともに、前記ポンプ側通信用端子とは別に、シリンジポンプの前記情報を外部装置との間で通信可能とする外部装置接続用の端子を有しているのが好ましい。
【００１８】
さらに、本発明のポンプ支持用架台は、外部電源からの電力を受けて駆動可能な駆動機構と、外部電源からの電力を受けて充電可能でかつ前記駆動機構を駆動するための電力を出力可能なバッテリーとを有する電気駆動のシリンジポンプを脱着可能に支持するとともに、該シリンジポンプに対して電源供給を行うポンプ支持用架台であって、前記シリンジポンプを脱着可能に装着する複数の装着部が設けられ、これらの装着部に前記シリンジポンプに設けられる電源の受電用端子に接触可能な給電用端子が夫々設けられるとともに、これら給電用端子がポンプ支持用架台に搭載される共通の電源回路に接続され、前記ポンプ支持用架台の電気回路は、外部電源から入力された交流電力を直流電力に変換して前記給電用端子を介して出力することにより、前記駆動機構を駆動するための電力、及び前記バッテリーを充電するための電力を前記受電用端子を介して前記駆動機構及びバッテリーに供給可能な電源部を備え、前記シリンジポンプは、該シリンジポンプに直接外部電源を接続するための前記受電用端子とは別の端子を備え、前記シリンジポンプが装着されて使用されている間、前記シリンジポンプのバッテリーが自動的に充電されるものである。
【００１９】
このポンプ支持用架台においては、外部装置との通信手段が設けられるとともに、前記装着部に、この通信手段に夫々接続されて前記シリンジポンプに設けられるポンプ側通信用端子に接触可能な架台側通信用端子が夫々設けられているのが好ましい。
【００２０】
【発明の実施の形態】
本発明の実施の形態について図面を用いて説明する。
【００２１】
図１は本発明に係る輸液システムの全体を斜視図で示している。この図に示すように、輸液システムはシリンジポンプ１と、複数台のシリンジポンプ１を支持することができるポンプ支持用架台２（以下、架台２と略す）とから構成されている。
【００２２】
シリンジポンプ１は、患者に対する栄養補給、化学療法剤、麻酔剤等の薬液注入を目的とした微量持続注入ポンプであって、図２に示すように横長の箱型の本体を有しており、この本体の上部前側に操作パネル１０を、後側にシリンジ固定部１５を夫々備えている。
【００２３】
操作パネル１０には、シリンジポンプの作動状態、例えば薬液の流量、予定量、積算値等の各種表示１１ａを行う表示部１１や、電源あるいは薬液の流量等の各種設定を行うための各種スイッチ１２等が設けられている。
【００２４】
シリンジ固定部１５には、薬液を収容したシリンジＳを固定するためのロック機構１６と、シリンジＳの押子を押圧するためのスライダ１８と、このスライダを駆動するための駆動機構等が設けられている。
【００２５】
ロック機構１６はばね等により下方に付勢されるクランプ１７を有しており、シリンジ固定部１５の図外のシリンジステージ（図示省略）上にセットされたシリンジＳを該クランプ１７により上方から押さえ付けた状態で固定するように構成されている。シリンジＳの脱着は、クランプ１７を上方に引き上げてから例えば図１の矢印方向にクランプ１７を回転させ、これによりシリンジステージの上方を開放した状態で行うように構成されている。
【００２６】
スライダ１８は、シリンジステージにセットされたシリンジＳに対してその長手方向にスライド可能に設けられており、駆動機構により駆動されてその端部（図２では右側端部）に設けられた押圧部１９によりシリンジＳの押子Ｓｐをその後側（図２では右側）から押圧するように構成されている。
【００２７】
駆動機構は、図示を省略するが、例えばスライダ１８に螺合装着されたボールねじ軸をモータにより回転駆動してスライダ１８を移動させる周知の往復移動機構からなり、前記操作パネル１０において設定された条件に応じて後述するコントローラ３０により駆動制御されるように構成されている。
【００２８】
なお、図１に示すようにシリンジポンプ１の本体側部には、図外のＡＣアダプタ（外部電源）を接続するための接続用コネクタ２０と、シリンジポンプ１をコンピュータ等の外部装置に接続するための外部通信コネクタ２１とが並べて設けられている。
【００２９】
また、シリンジポンプ１の本体下部（裏側）には、図３に示すようにシリンジポンプ１を架台２へ取り付けるための取付部２５が設けられている。
【００３０】
この取付部２５には、その上下両側に（同図で上下両側）幅方向に伸びる案内溝２６が設けられるとともに、架台２に対する電気的な接続部、具体的には電源の受電用端子２７および通信用端子２８（ポンプ側通信用端子）が設けられている。なお、これらの端子２７，２８は撓み可能な板ばね状に形成されている。
【００３１】
一方、架台２は、図４に示すように縦長の本体を有しており、キャスター付きの輸液スタンド（ポール）Ｐにボルト等の固定手段により固定されている。
【００３２】
架台２の本体には、シリンジポンプ１を装着するための複数の装着部が設けられており、当実施形態では６つの装着部３１ａ〜３１ｆが上下一列に設けられている。各装着部３１ａ〜３１ｆには、シリンジポンプ１を位置決めするための幅方向に伸びる上下一対の案内板３２が設けられるとともに、同ポンプ１の前記受電用端子２７および通信用端子２８に接触可能な給電用端子３５および通信用端子３６（架台側通信用端子）が夫々設けられている。なお、これらの端子３５，３６は平板状に形成されており、後述するように各装着部３１ａ〜３１ｆにシリンジポンプ１が装着されると、シリンジポンプ１の端子２７，２８が夫々架台側の対応する端子３５，３６に圧接（接触）するようになっている。
【００３３】
架台２の下端部位であってその前面側には、電源スイッチ３７と、各装着部３１ａ〜３１ｆに対応するパイロットランプ３８，４３等とが設けられている。また、架台２の後側には電源コード３９が接続されている。
【００３４】
次に、この輸液システムにおける電気的な構成を図５を用いて説明する。なお、この図では、架台２の全ての装着部３１ａ〜３１ｆにシリンジポンプ１を装着した状態を示している。
【００３５】
この図に示すように各シリンジポンプ１には、その駆動を制御するためのコントローラ３０（制御手段）が夫々搭載されている。このコントローラ３０は、論理演算を実行する周知のＣＰＵ、そのＣＰＵを制御する種々のプログラムなどを予め記憶するＲＯＭ、動作中に種々のデータを一時的に記憶するＲＡＭ等を備えており、操作パネル１０において設定された各種条件に基づきシリンジポンプ１の駆動を統括的に制御するように構成されている。
【００３６】
コントローラ３０には、前記外部通信コネクタ２１および通信用端子２８が接続されており、ポンプ使用中には、後述するように、外部通信コネクタ２１に通信用配線が接続されるか、あるいは通信用端子２８が架台２の通信用端子３６に接触する（接続される）ことによりコンピュータ等の外部装置との間で各種情報を送信できるように構成されている。
【００３７】
一方、架台２には、コントローラ４０、ＡＣ−ＤＣ電源回路４１等が搭載されている。
【００３８】
コントローラ４０は、装着部３１ａ〜３１ｆに装着される各シリンジポンプ１とコンピュータ等の外部装置との通信を統括的に行う通信手段として機能するものである。このコントローラ４０には、前記パイロットランプ４３を介して前記装着部３１ａ〜３１ｆの各通信用端子３６が夫々接続されるとともに、コンピュータ等の外部装置に接続された通信用配線４４の一端側が接続されている。
【００３９】
ＡＣ−ＤＣ電源部４１は、周知の電源回路からなり、当実施形態ではＡＣ１００Ｖをシリンジポンプ１の駆動に必要な例えばＤＣ１２Ｖに変換して出力する。このＡＣ−ＤＣ電源部４１には、電源スイッチ３７を介して前記電源コード３９が接続されるとともに、前記パイロットランプ３８を介して装着部３１ａ〜３１ｆの各通信用端子３６が夫々接続されている。
【００４０】
次に、以上のように構成された輸液システムの使用説明を行う。
【００４１】
まず、事前準備として、使用するシリンジポンプ１の数を決定し、シリンジポンプ１を架台２の装着部３１ａ〜３１ｆに夫々装着する。装着は、操作パネル１０が前面に向いた起立姿勢にシリンジポンプ１を保持し、この状態でシリンジポンプ１を架台２の側方からスライドさせながら、ポンプ裏面の前記案内溝２６に案内板３２を差込むことにより行う。なお、図示を省略するが各装着部３１ａ〜３１ｆにはロック機構が設けられてあり、シリンジポンプ１を特定位置までスライドさせた後、このロック機構によりシリンジポンプ１を架台２に固定する。これによりシリンジポンプ１の架台２への装着が完了する。
【００４２】
なお、このようにシリンジポンプ１を装着部３１ａ〜３１ｆに装着すると、シリンジポンプ１の受電用端子２７および通信用端子２８が夫々対応する架台側の給電用端子３５および通信用端子３６に圧接し、これにより各シリンジポンプ１と架台２とが電気的に接続される。具体的には、各シリンジポンプ１が受電用端子２７および通信用端子２８を介して架台２のＡＣ−ＤＣ電源部４１に接続されるとともに、各シリンジポンプ１のコントローラ３０が通信用端子２８，３６を介して架台２のコントローラ４０に接続されることとなる。
【００４３】
架台２への各シリンジポンプ１の装着が完了したら、次に、架台２の電源コード３９をＡＣ１００Ｖコンセントに差し込んで架台２の電源スイッチ３７を入れ、その後、各シリンジポンプ１の電源スイッチを入れる。
【００４４】
このようにすると架台２が起動し、ＡＣ−ＤＣ電源部４１から受電用端子２７および給電用端子３５を介して各シリンジポンプ１に電源が供給される。これにより各シリンジポンプ１が起動するとともに、各シリンジポンプ１が架台２のコントローラ４０を介してコンピュータ等の外部装置と通信状態となる。なお、架台２から各シリンジポンプ１への電源供給が適正な場合、および各シリンジポンプ１とコントローラ４０との通信状態が適正な場合には夫々対応するパイロットランプ３８，３９が点灯し、その旨が表示される。
【００４５】
以上の事前準備が完了したら、各シリンジポンプ１に対してシリンジＳを固定する。シリンジＳの固定は、既に説明した通りクランプ１７を解除した状態でシリンジＳをシリンジステージ上にセットし、その後クランプ１７を固定位置にセットすることにより行う。
【００４６】
そして、各シリンジポンプ１毎に操作パネル１０を操作して流量等の輸液条件を設定した後、各シリンジポンプ１のシリンジに接続されたチューブの留置針を患者の腕等に穿刺し、操作パネル１０のスイッチを操作して薬液の注入を開始する。なお、このようにして薬液の注入が開始されると、各シリンジポンプ１における薬液の流量、予定量、あるいは積算量等の輸液情報が操作パネル１０の表示部１１に表示されるとともに、架台２（コントローラ４０）を介してコンピュータ等の前記外部装置に出力されて集中管理されることとなる。
【００４７】
なお、この輸液システムでは、上記のようにシリンジポンプ１を架台２に装着して使用する以外に、シリンジポンプ１を単独で使用することも可能である。
【００４８】
この場合には、シリンジポンプ１の前記接続用コネクタ２０に図外のＡＣアダプタを接続し、このアダプタをＡＣ１００Ｖコンセントに差し込むことにより該コンセントから直接電源をとり、また、前記外部通信コネクタ２１に図外の通信用配線を接続し、この通信用配線をコンピュータ等の外部装置に接続することによりシリンジポンプ１と外部装置とを直接接続するようにすればよい。
【００４９】
以上説明した輸液システムによると、架台に装着した複数のシリンジポンプ１に対して架台２に設けた共通のＡＣ−ＤＣ電源部４１から電源を供給するように構成しているので、複数のシリンジポンプ１を同時に使用しながらも電源コードとしては架台２の電源コード３９だけで済む。
【００５０】
しかも、各シリンジポンプ１（コントローラ３０）を架台２のコントローラ４０及び通信用配線４４を介してコンピュータ等の外部装置に接続するようにしているので、各シリンジポンプ１と外部装置とを接続する通信用配線についても共通の通信用配線４４だけで済む。
【００５１】
従って、複数のシリンジポンプを同時に使用する場合でも、従来のように電源コードや通信配線が邪魔になるとがなくなり、例えば、医師や看護婦がシリンジポンプの電源コード等に足を引っ掛ける等して医療業務に支障をきたすといった問題を解消することができるという効果がある。
【００５２】
また、この輸液システムでは、上記のようにシリンジポンプ１を架台２に装着して使用する以外に単独でも使用することができるので、シリンジポンプ１の利便性が良いというメリットもある。
【００５３】
ところで、以上説明した輸液システムは、本発明に係る輸液システムの一の実施の形態であって、その具体的な構成は本発明の要旨を逸脱しない範囲で適宜変更可能である。例えば、以下のような態様を採ることもできる。
【００５４】
（１）架台２に設けられる装着部３１ａ〜３１ｆの配列は縦一列に限らず、縦二列、あるいは縦三列であってもよく、また縦向きの配列に限らず横向きの配列であってもよい。但し、多くのシリンジポンプ１を平面的に少ないスペースに支持する上では、装着部を縦一列に設けるのが好ましい。
【００５５】
（２）受電用端子２７および給電用端子３５、あるいは通信用端子２８および通信用端子３６は上記のような互いに圧接し合う板ばね状のものに限らず、例えばハウジング付きのコネクタ等であってよい。この場合、該コネクタは、シリンジポンプ１を装着部３１ａ〜３１ｆに装着した後に個別に嵌合、接続するものであってもよいが、シリンジポンプ１の装着部３１ａ〜３１ｆへの装着過程で自ずとコネクタ同士が嵌合する所謂待ち受け式のコネクタ構造とすれば、シリンジポンプ１を架台２へ装着する際の作業性が良くなるというメリットがある。
【００５６】
（３）シリンジポンプ１に充電式の内部バッテリーを搭載するようにしてもよい。このようにすれば、架台２やＡＣアダプタを用いることなくシリンジポンプ１を使用することができるので室外での使用時に便利となる。なお、この場合には、シリンジポンプ１を架台２に装着して使用している間、あるいはシリンジポンプ１にＡＣアダプタを接続して使用している間に上記バッテリーが自動的に充電されるように構成するのが好ましい。このようにすればバッテリー充電の手間が省け利便性が向上する。
【００５７】
【発明の効果】
以上説明したように、本発明の輸液システムは、ポンプ支持用架台に設けられた複数の装着部に対して必要な数のシリンジポンプを装着して使用でき、かつ装着した各シリンジポンプに対してポンプ支持用架台側の共通の電源回路から駆動用電力を供給するように構成しているので、複数のシリンジポンプを同時に使用しながらも電源コードとしてはポンプ支持用架台の電源コードだけ済む。つまり、電源コードを集約することができる。従って、複数のシリンジポンプを同時に使用する場合でも、従来のように電源コードが邪魔になるようなことがなくなる。
【００５８】
特に、ポンプ支持用架台に通信手段を設け、装着された各シリンジポンプをこの通信手段を介してコンピュータ等の外部装置に接続するように構成すれば、各シリンジポンプと外部装置とを接続する通信用配線についてもその集約化を図ることができる。
【図面の簡単な説明】
【図１】  本発明に係る輸液システムを示す斜視図である。
【図２】  輸液システムに適用されるシリンジポンプを示す斜視図（操作パネル側）である。
【図３】  輸液システムに適用されるシリンジポンプを示す斜視図（取付部側）である。
【図４】  輸液システムに適用されるポンプ支持用架台を示す斜視図である。
【図５】  輸液システムの電気的な構成を示すブロック図である。
【符号の説明】
１  シリンジポンプ
２  ポンプ支持用架台
２７  受電用端子
２８  通信用端子（ポンプ側通信用端子）
３０  コントローラ（制御手段）
３１ａ〜３１ｆ  装着部
３５  給電用端子
３６  通信用端子（架台側通信用端子）
３７  電源スイッチ
４１  ＡＣ−ＤＣ電源部
４０  コントローラ（通信手段）
【図１】
0004939707.tif 000002
【図２】
0004939707.tif 000003
【図３】
0004939707.tif 000004
【図４】
0004939707.tif 000005
【図５】
0004939707.tif 000006